(57)【要約】      （修正有）【課題】種類が豊富で安価な２４Ｖ以下の小型二次電池で長時間動作出来るようにして、更にコンパクトで軽い空気清浄機を提供する。【解決手段】空気清浄機１０は、脱着可能な２４Ｖ以下の電圧の充電式電池３１を備える電源部と、イオン放電部１２と高電圧発生部１３とを含み電源部にて駆動される電気集塵式の微粒子除去部と、電源部にて駆動されて風量が３ｍ３／分以上のファン駆動部１４と、電源部にて駆動されて微粒子除去部とファン駆動部とを制御する制御部１６とを備える。【選択図】図１
0003230954.tif 000002
【実用新案登録請求の範囲】
【請求項１】
風量が３ｍ３／分（空気清浄機の能力を示す数値）以上の空気清浄機であって、微粒子除去部と、電源部と、ファン駆動部と、制御部とを備え、
前記微粒子除去部は電気集塵式であって、
前記各部は２４Ｖ以下の電圧で駆動するように設定されており、
前記電源部は本体内部または外部に脱着可能な充電式電池であることを特徴とする空気清浄機。
【請求項２】
空気清浄機を乗せる台座部と、空気清浄機が台座部からずれ落ちないようにするために台座部上面に取り付けられた保護部と、台座下面に取り付けられた複数の車輪からなる台車と組み合わされたことを特徴とする請求項１に記載の空気清浄機。
【請求項３】
前記台車が空気清浄機本体の一部を構成することを特徴とする請求項１に記載の空気清浄機。
【請求項４】
前記台車に充電式電池を保持する機構、または収納するスペースを備えたことを特徴とする請求項２および請求項３に記載の空気清浄機。
【考案の詳細な説明】
【技術分野】
【０００１】
本考案は、空気清浄機に関し、特に、静電気フィルタ式（電気集塵式）空気清浄機に関する。
【背景技術】
【０００２】
従来、空気から微粒子を取り除く方式として、主として、
ファン式(フィルタ式)：不織布などに空気を流して濾し取る方式（HEPAフィルタはその１つ）
電気集塵式：静電気を微粒子に帯びさせて電気を帯びた集塵板で取る電気集塵式
の２つがあった。
【０００３】
店舗や施設等の不特定多数の人が集まる空間の空気を清浄化する空気清浄機は、より広範な空間をカバーするために集塵力を高める必要があり、一般的にファンの回転速度を上げたり、大型のファンを使用する方法がとられているが、消費電力も多くなるため、家屋のコンセントから電源を確保する電源ケーブルを備えた据え置き型である。
【考案の概要】
【考案が解決しようとする課題】
【０００４】
上述した従来の空気清浄機において、ファン式は空気が通り難い空気抵抗の高い不織布に圧力を掛けて空気を吸いだす為にファンを回転させる為に多くの電力を消費するのに対して、電気集塵式は集塵板に高電圧を掛けるものの電流は殆ど流れないためにその部分の消費電力は非常に小さく抑えられる特徴があり、空気抵抗の少ない集塵板に空気を流すのでファンの消費電力が非常に小さく済む。
【０００５】
同程度の空気清浄能力を持つ場合、電気集塵式はファン式と比べて1/3〜1/5の消費電力で済み、ファンの強い吸引力が要らないのでファンのモーターの動作電圧が低く抑えられるのも特徴となる。
つまり電気集塵式空気清浄機は低消費電力であり且つ低電圧で動作させる事が可能である。また小さなファンで駆動出来る事により空気清浄機をファン式と比べてコンパクトに軽く作る事が可能で持ち運びし易いのも別の特徴となる。
【０００６】
ところで、空気清浄機の効果は機器近辺の方が高く、遠方ほど薄いため、使用環境に応じて最適な位置に置くことが理想であるが、従来の据え置き型の空気清浄機はコンセントから電源を確保するため、機器の位置がコンセントの周辺に制限されてしまう。一方で延長コードを用いればコンセント位置による制限からは解放されるが、延長コードが床を這うことになり、歩行者が引っかかり転倒するなど事故を招く可能性があり、また外観も悪い。従って、空気清浄機の消費電力を省力化するとともに、汎用の充電式電源を搭載することで、コンセントの位置や電源ケーブルによる制限を受けることがなくなり、前述の課題を解決しようとするものである。
【課題を解決するための手段】
【０００７】
本実用新案はこれらの特徴を生かして全体の動作電圧を直流低電圧（12V以下）で動作するように最適化設計を行い、種類が豊富で安価な12V以下の小型二次電池で長時間動作出来るようにして、更にコンパクトで軽い空気清浄機を提供する事を特徴とする。
また、その二次電池は取り外しが簡単に行えて、充電時に別の場所で充電を可能にし、寿命が来て性能が低下しても簡単に新しいものに交換出来る事も特徴とする。
【０００８】
加えて、電池で駆動する事より配線が不要になる特徴を生かして空気清浄機下にキャスター（車輪）を付ける事で移動を楽にする事も可能になる。
本実用新案は上記を特徴として且つ1台で広い部屋が対応出来る風量３ｍ３／分以上で長時間（6時間以上）の動作を1回の充電で実現する事が可能な空気清浄機である。
【０００９】
本考案は、空気清浄機に電気集塵式の微粒子除去部を用いることで駆動電圧を12〜24V以下とし、その電源部として汎用の12〜24V以下の充電式電池を脱着可能な状態で搭載することにより、問題点を解決している。さらに、空気清浄機本体に複数の車輪を付け、または複数の車輪を備えた台車の上に空気清浄機を乗せることで移動を手軽に行うことができるようにもなる。
【考案の効果】
【００１０】
上述のように、電源部を空気清浄機に搭載したことにより、コンセント位置や電源ケーブルに制限されることなく、空気清浄機を最も効果的に使用できる位置に自由かつ手軽に移動させることができるとともに、空気清浄機本体の省電力化により長時間駆動することもできる。
【図面の簡単な説明】
【００１１】
【図１】本考案の電池駆動式静電気空気清浄機の概略ブロック図である。
【図２】電池駆動式静電気フィルタ空気清浄機の斜視図である。
【図３】台の斜視図である。
【図４】台に本体を設置した状態の斜視図である。
【図５】バッテリーを本体に装着する過程の斜視図である。
【図６】バッテリーに本体を接続した状態を示す斜視図である。
【図７】バッテリーの上面図である。
【考案を実施するための形態】
【００１２】
以下、図面にもとづいて本考案の実施形態を説明する。
図１は、本考案の電池駆動式静電気フィルタ空気清浄機の概略ブロック図である。
同図において、１０は電池駆動式静電気フィルタ空気清浄機であり、風量が３ｍ３／分（空気清浄機の能力を示す数値）以上である。
その内部には、イオン放電部１２と、高電圧発生部１３と、送風部１４と、制御部１６とを備えている。イオン放電部１２は、イオン放電針１２ａと、イオン化高電圧発生回路１２ｂを備えており、イオン放電針１２ａからマイナスイオンを発生する。高電圧発生部１３は、マイナス電極１３ａと、プラス電極１３ｂと、８ｋＶの高電圧発生回路１３ｃとを備えている。マイナス電極１３ａとプラス電極１３ｂとの間に電界が発生し、マイナスイオンが付着した微粒子などはプラス電極１３ｂに引きつけられる。送風部１４は、モータ１４ａと、ファン１４ｂとを備えており、モータ１４ａがファン１４ｂを回転させることで空気の流れが発生し、放電針１２ａから電極１３ａ、１３ｂへと至る気流によって次々に集塵されていく。
【００１３】
イオン放電部１２と高電圧発生部１３は、微粒子除去部に相当する。送風部１４は、ファン駆動部に相当し、制御部１６は、イオン放電部１２と高電圧発生部１３と送風部１４とを制御する。
イオン放電部１２と、高電圧発生部１３と、送風部１４に稼働電源を供給するのがモバイルバッテリー３１（出力電圧１２Ｖ〜２４Ｖ）であり、本体側コネクタ１５とバッテリー側直流端子コネクタ３２とによって着脱可能となっている。
【００１４】
モバイルバッテリー３１を充電するため、充電アダプタ４２から引き出された充電コネクタ４１と、モバイルバッテリー側充電コネクタ３３とを接続する。
モバイルバッテリー３１は電源部に相当する。
【００１５】
図２は、電池駆動式静電気フィルタ空気清浄機の斜視図であり、図３は、台座部の斜視図であり、図４は、台座部に本体を設置した状態の斜視図である。
台座部５１は空気清浄機本体１０を乗せる台であり、台座部５１には空気清浄機本体１０が台座部５１からずれ落ちないようにするために台座部５１の上面に取り付けられた保護部５２を備えている。また、台座部５１の下面には複数の車輪５３が取り付けられ、これらすべてによって台車２０が構成されている。
【００１６】
次に、組み立て手順を説明する。
図５は、バッテリーを本体に装着する過程の斜視図である。
１）モバイルバッテリーを本体に取り付ける。
モバイルバッテリー３１の裏面に丸磁石３１ａを取り付け、丸取り付けプレート１０ａを本体１０の側面に貼り付ける。
【００１７】
図６は、バッテリーに本体を接続した状態を示す斜視図である。
本体１０の丸取り付けプレート１０ａに対してモバイルバッテリー３１の丸磁石３１ａで吸着して固定する。この部位が台車に充電式電池を保持する機構、または収納するスペースに相当する。
その後、本体１０から出ている本体側コネクタ１５を、モバイルバッテリー３１のバッテリー側直流端子コネクタ３２に接続する。
【００１８】
図７は、バッテリーの上面図である。上面には、バッテリー側直流端子コネクタ３２と、モバイルバッテリー側充電コネクタ３３である。
充電アダプタ４２から引き出された充電コネクタ４１と、モバイルバッテリー側充電コネクタ３３とを接続して充電するときは、本体側コネクタ１５をバッテリー側直流端子コネクタ３２から外しておく。
【００１９】
なお、本考案は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本考案の一実施例として開示されるものである。
【符号の説明】
【００２０】
１０…電池駆動式静電気フィルタ空気清浄機、１０ａ…丸取り付けプレート、１２…イオン放電部、１２ａ…イオン放電針、１２ｂ…イオン化高電圧発生回路、１３…高電圧発生部、１３ａ…マイナス電極、１３ｂ…プラス電極、１３ｃ…高電圧発生回路、１４…送風部、１４ａ…モータ、１４ｂ…ファン、１５…本体側コネクタ、１６…制御部、２０…台車、３１…モバイルバッテリー、３１ａ…丸磁石、３２…バッテリー側直流端子コネクタ、３３…モバイルバッテリー側充電コネクタ、４１…充電コネクタ、４２…充電アダプタ、５１…台座部、５２…保護部、５３…車輪。
【図１】
0003230954.tif 000003
【図２】
0003230954.tif 000004
【図３】
0003230954.tif 000005
【図４】
0003230954.tif 000006
【図５】
0003230954.tif 000007
【図６】
0003230954.tif 000008
【図７】
0003230954.tif 000009
【手続補正書】
【提出日】令和2年12月22日(2020.12.22)
【手続補正１】
【補正対象書類名】実用新案登録請求の範囲
【補正対象項目名】全文
【補正方法】変更
【補正の内容】
【実用新案登録請求の範囲】
【請求項１】
脱着可能な２４Ｖ以下の電圧の充電式電池を備える電源部と、前記電源部にて駆動される電気集塵式の微粒子除去部と、前記電源部にて駆動されて風量が３ｍ３／分以上のファン駆動部と、前記電源部にて駆動されて前記微粒子除去部と前記ファン駆動部とを制御する制御部とを備えることを特徴とする空気清浄機。
【請求項２】
空気清浄機を乗せる台座部と、空気清浄機が台座部からずれ落ちないようにするために台座部上面に取り付けられた保護部と、台座下面に取り付けられた複数の車輪からなる台車を備えることを特徴とする請求項１に記載の空気清浄機。
【請求項３】
前記台車が空気清浄機本体の一部を構成することを特徴とする請求項２に記載の空気清浄機。
【請求項４】
前記台車に前記充電式電池を保持する機構、または収納するスペースを備えたことを特徴とする請求項２または請求項３に記載の空気清浄機。